(57)【特許請求の範囲】
【請求項１】
内部に内容液の収容空間を区画、形成する主容器と、該主容器の口部に装着され、主容器内の内容液を吸引、加圧し外部に向けて吐出する吐出器と、前記主容器内の内容液と混合して使用する内容液の収容空間を区画、形成するとともに、該収容空間に通じる開口を形成する口部を突設する副容器と、を備える液体吐出容器において、
前記主容器に設けられ、該主容器内の収容空間に通じる開口を形成する筒状部と、
前記筒状部に保持されるとともに、該筒状部に対して副容器の口部を突き合わせて保持し、前記主容器の収容空間と前記副容器の収容空間とを連通する連通孔を有するアダプタと、
前記副容器の口部に装着、保持されるとともに、前記副容器の、前記アダプタに対する一方側への回動により前進して前記連通孔内に嵌り込んで該連通孔を閉塞するシール部としての凸部と、前記副容器の、前記アダプタに対する他方側への回動により後退して副容器内の内容物を前記主容器の収容空間へ注出する注出孔とを有する栓体と、を備え、
前記主容器を形作る壁によって、該主容器の収容空間内に前記副容器から注出された内容液を貯留可能な計量部を形成し、
一端が前記アダプタの連通孔につながり、他端が前記計量部まで延びるパイプを設けてなることを特徴とする液体吐出容器。
【請求項２】
前記主容器を、透明または半透明の樹脂にて形成してなる、請求項１に記載の液体吐出容器。
【請求項３】
前記副容器の口部の外周面にねじを形成するとともに、前記アダプタに該ねじに係合して、前記副容器の、前記アダプタに対する一方側への回動により該副容器を前進させる一方、前記副容器の、前記アダプタに対する他方側への回動により該副容器を後退させるねじを形成してなる、請求項１または２に記載の液体吐出容器。
【発明の詳細な説明】
【技術分野】
【０００１】
この発明は、内部に液体の収容空間を形成する主容器と、該収容空間内の内溶液を吸引、加圧し外部に向けて吐出する吐出器と、主容器内の内容液と混合すべき内容液を収容可能な副容器と、を備える液体吐出容器に関し、とくには、吐出器を取り外すことなく、副容器内の内容液を主容器内に注入可能な容器を提案しようとするものである。
【背景技術】
【０００２】
薬剤や洗剤の中には、保管時には二種類の液を分離して保管し、使用直前に二液を混合あるいは希釈して使用するものがある。そして、従来、主容器内の液体を噴出できる吐出器を備え、主容器内の液体と混合して使用する薬剤を、使用直前まで混合しないで一体に保管することができる容器が提案されている（特許文献１参照。）。この文献に開示された容器は、吐出器の後方突出部分に下端を開口した空隙部を形成し、該空隙部内に主容器内の液体と混合して使用する薬剤を収容する副容器を抜き出し可能に嵌合、係止したものである。
【先行技術文献】
【特許文献】
【０００３】
【特許文献１】実開平７−３３８６６号公報
【発明の概要】
【発明が解決しようとする課題】
【０００４】
しかしながら、このような従来の容器では、副容器内の薬剤を主容器内に注ぐためには、吐出器を主容器から取り外し、主容器の口部を通じて行わなければならず、作業が煩雑であるとともに、副容器内の薬剤を主容器に注ぎこむ際にこぼしてしまうおそれが多分にあった。
【０００５】
それゆえ、この発明は、吐出器を取り外すことなく、副容器内の内溶液を主容器内に注入することができ、しかもこぼすことなくその注入が可能な液体吐出容器を提案することを目的とするものである。
【課題を解決するための手段】
【０００６】
この発明は、上記課題を解決するためになされたものであり、この発明の液体吐出容器は、内部に内容液の収容空間を区画、形成する主容器と、該主容器の口部に装着され、主容器内の内容液を吸引、加圧し外部に向けて吐出する吐出器と、前記主容器内の内容液と混合して使用する内容液の収容空間を区画、形成するとともに、該収容空間に通じる開口を形成する口部を突設する副容器と、を備える液体吐出容器において、前記主容器に設けられ、該主容器内の収容空間に通じる開口を形成する筒状部と、前記筒状部に保持されるとともに、該筒状部に対して副容器の口部を突き合わせて保持し、前記主容器の収容空間と前記副容器の収容空間とを連通する連通孔を有するアダプタと、前記副容器の口部に装着、保持されるとともに、前記副容器の、前記アダプタに対する一方側への回動により前進して前記連通孔内に嵌り込んで該連通孔を閉塞するシール部としての凸部と、前記副容器の、前記アダプタに対する他方側への回動により後退して副容器内の内容物を前記主容器の収容空間へ注出する注出孔とを有する栓体と、を備えることを特徴とするものである。なお、ここでいう「一方側」とは副容器をアダプタに対して回動させる方向である時計回りおよび反時計回りのうちの一方を指し、「他方側」とは上記一方側とは反対側を指すものである。
【０００７】
かかる液体吐出容器を用いて、例えば、副容器内に収容された薬剤または洗剤とすることができる濃縮液を水等で希釈して使用する場合には、副容器がアダプタに対して完全にねじ込まれて栓体のシール部がアダプタの連通孔を閉塞した状態を初期状態として、先ず、副容器を他方側に回動させ、副容器をアダプタから後退させる。これにより、副容器内の内容液が注出孔および連通孔を通って主容器内に流入する。そして、所定量の注入が終了した後は、副容器をアダプタに対して今度は一方側に回動して栓体のシール部によって連通孔を閉鎖する。その後、主容器の口部から吐出器を取り外し、該口部の開口から希釈倍率に応じた希釈液（例えば水）を充填する。
【０００８】
したがって、この発明の液体吐出容器によれば、吐出器を取り外すことなく、副容器内の内溶液を主容器内に注入することができ、しかも副容器と主容器とがアダプタを介して連結された状態にて副容器内の内容液の注入を行うことができるため、こぼすことなくその注入が可能である。さらに、副容器をアダプタに対して回動させることで、連通孔を閉塞することができるので、副容器内に複数回分の内容液を予め収容させておけば、副容器内の内容液を複数回にわたって混合、希釈して使用することが可能となる。あるいは、予め副容器内に多めの内容液を収容しておき、使用者の好みの量に応じて適宜に副容器内の内容液を主容器内に注入することもできる。
【０００９】
また、この発明の液体吐出容器にあっては、前記主容器を形作る壁によって、該主容器の収容空間内に前記副容器から注出された内容液を貯留可能な計量部を形成したので、副容器の内容液の適量注入が可能であるとともに、計量部の形成にあたって部品点数が増大することもない。
【００１０】
また、この発明の液体吐出容器にあっては、一端が前記アダプタの連通孔につながり、他端が前記計量部まで延びるパイプを設けたので、副容器内の内容液の注入の際に液が計量部の外に飛び散るのを防止することができ、また、副容器内の内容液を出し過ぎた場合には、パイプを介して液を副容器内に戻すことができる。
【００１１】
さらに、この発明の液体吐出容器にあっては、前記主容器を、透明または半透明の樹脂にて形成することが好ましく、これによれば、計量部内に流入した内容液の量を容器外から確実に視認することができる。
【００１２】
しかも、この発明の液体吐出容器にあっては、前記副容器の口部の外周面にねじを形成するとともに、前記アダプタに該ねじに係合して、前記副容器の、前記アダプタに対する一方側への回動により該副容器を前進させる一方、前記副容器の、前記アダプタに対する他方側への回動により該副容器を後退させるねじを形成することが好ましく、これによれば、副容器をアダプタに対して安定して回動および進退させることができ、栓体による連通孔の密閉および開放をより確実に行うことができる。
【発明の効果】
【００１３】
この発明によれば、吐出器を取り外すことなく、副容器内の内溶液を主容器内に注入することができ、しかも副容器と主容器とがアダプタを介して連結された状態にて副容器内の内容液の注入を行うことができるため、こぼすことなくその注入が可能である。さらに、副容器をアダプタに対して回動させることで、連通孔を閉塞することができるので、副容器内に複数回分の内容液を予め収容させておけば、副容器内の内容液を複数回にわたって混合、希釈して使用することが可能となる。あるいは、予め副容器内に多めの内容液を収容しておき、使用者の好みの量に応じて適宜に副容器内の内容液を主容器内に注入することもできる。
【図面の簡単な説明】
【００１４】
【図１】図１は、この発明にしたがう一実施形態の液体吐出容器を、一部を断面で示した側面図である。
【図２】図１の要部を拡大して示した断面図であり、（ａ）は栓体にて連通孔を閉鎖した状態を、（ｂ）は連通孔を開放した状態をそれぞれ示している。
【図３】参考例としての液体吐出容器を、一部を断面で示した側面図である。
【図４】図３の液体吐出容器を用いて、副容器内の内容液を主容器内に注入する様子を示す側面図である。
【図５】他の参考例としての液体吐出容器を、一部を断面で示した側面図である。
【図６】図５の液体吐出容器を用いて、副容器内の内容液を主容器内に注入する様子を示す側面図である。
【発明を実施するための形態】
【００１５】
以下、この発明の実施の形態を図面に基づき詳細に説明する。
【００１６】
図１に示すように、この液体吐出容器１は、合成樹脂製の主容器３と、主容器３の口部に装着された吐出器５と、主容器３内の内容液と混合して使用する内容液を収納する合成樹脂製の副容器７とを備えるものである。
【００１７】
主容器３は、透明または半透明の樹脂にて形成され、吐出器５が装着される口部と、該口部につながり容器を操作する際に使用者に保持されるグリップ部９ａを一部に形成する胴部９と、該胴部９の下端を閉塞して胴部９との間に内容液の収納空間Ｓ１を区画、形成する底部１１とを有している。さらに、主容器３は、胴部９のグリップ部９ａの前方かつ下方に、下方に向けて胴部９を末広がりとする傾斜面９ｂが形成されている。この傾斜面９ｂからは、主容器３内の収容空間Ｓ１に通じる開口を形成する筒状部１３が一体に突設されており、該筒状部１３の外周面にはねじ１３ａが形成されている。
【００１８】
副容器７は、スクイズ可能に構成された胴部１７と胴部１７の下端を閉塞して内側に内容液の収納空間Ｓ２を区画、形成する底部１９と、胴部１７に肩部２１を介して連結され、内側に収納空間Ｓ２に通じる開口を形成する筒状の口部２３とを有し、口部２３の外周面にはねじ２３ａが形成されている。
【００１９】
吐出器５は、ここでは、操作レバー５ａの繰り返しの牽曳により、主容器３内の液体を吸引、加圧および圧送するポンプ５ｂと、このポンプ５ｂによって圧送された液体を外界へ向けて噴射する噴射ノズル５ｃとを備えたトリガー式のものを例示し、該吐出器５は、キャップ５ｄを介して主容器３の口部に着脱自在に固定されている。
【００２０】
また、この液体吐出容器１は、筒状部１３に保持されるとともに、該筒状部１３に対して副容器７の口部２３を突き合わせて保持する連結部材としてのアダプタ２７が設けられている。アダプタ２７は、筒状部１３のねじ１３ａに係合するねじ２９ａを内周面に有する第１筒部２９と、この第１筒部２９ａにつながり、副容器７の口部２３の外周面に形成されたねじ２３ａと係合するねじ３１ａを内周面に有する第２筒部３１と、これらの第１筒部２９および第２筒部３１間を隔てる隔壁３３とを有し、隔壁３３には、主容器３の収容空間Ｓ１と副容器７の収容空間Ｓ２とを連通する連通孔３５が形成されている。さらに、隔壁３３の、第１筒部２９側の面からは後述するパイプ３７を保持する保持筒３９が突設されている。
【００２１】
さらに、この液体吐出容器１は、図２（ａ）に拡大して示すように、副容器７の口部２３突端に嵌合、保持された栓体４１を備えている。栓体４１は、口部２３の開口を覆う上壁４３と、該上壁４３の周縁から垂下して副容器７の口部２３外壁に嵌合（アンダーカット係合）する外壁４５と、該外壁４５の内側で上壁４３から垂下して副容器７の口部２３内壁に嵌入されるシール筒４７とを有する。さらに、上壁４３には、アダプタ２７の連通孔３５に対応する位置に該アダプタ２７に向けて突出し、副容器７の、アダプタ２７に対する一方側（ここでは右方向）への回動により前進して該連通孔３５内に嵌り込んで閉塞するシール部としての凸部４５ａと、副容器７の、アダプタ２７に対する他方側（ここでは左方向）への回動により後退して副容器７内の内容物を主容器３の収容空間Ｓ１へ注出する注出孔４５ｂとが設けられている。このように、シール部を凸部４５ａで構成することで、上壁４３によって連通孔３５を塞ぐように構成する場合よりも、シール性を高めることができる。なお、図２中、符号３１ｂは、第２筒部３１の内周面に形成され、ねじ２３ａを緩めて副容器７を後退させた状態（図２（ｂ）に示す状態）にて栓体３１の外壁４１の下端が当接する環状の段差部（アンダーカット）であり、これにより、中栓４１は第２筒部３１内に抜け止め保持されるとともに、中栓４１および第２筒部３１間にシールが形成される。
【００２２】
また、この実施形態では、主容器３の胴部９、より詳細には、筒状部１３の真下には、主容器３を形作る壁によって、副容器７から注出された内容液を貯留可能な計量部５３が形成されている。ここでは、計量部５３は、主容器３の収納空間Ｓ１の一部を、底部１１から立ち上がるとともに胴部９を横切る垂壁５５によって隔離することで形成している。垂壁５５は、図示のようにその横切り方向の途中に閉塞部分（補強部分）を有するものであるが、図示は省略するが横切り方向に完全に貫通するものでもよく、あるいは横切り方向の一端から他端まで中実に延びる壁としてもよい。計量部５３の外側には、計量部５３に貯留される内容液の量を表示する目盛り（ここでは図示省略）が付されており、この目盛りは主容器３の成形時に胴部９と一体に形成するものでも、成形後に主容器３の胴部９に貼り付けるシール状のものでもよく、あるいは、包装ラベルに印刷したものとしてもよい。
【００２３】
さらに、この実施形態では、一端がアダプタ２７の連通孔３５につながり、他端が計量部５３まで延びる中空のパイプ３７が設けられている。
【００２４】
かかる構成になる液体吐出容器１を用いて、例えば、副容器７内に収容された薬剤または洗剤とすることができる濃縮液を水で希釈して使用する場合には、副容器７がアダプタ２７に対して完全にねじ込まれて栓体４１の凸部４５ａがアダプタ２７の連通孔３５に嵌入された状態（連通孔３５が栓体４１によって閉塞された状態）を初期状態として、先ず、図２（ｂ）に示すように、副容器７を左方向（反時計回り）に回動させ、副容器７をアダプタ２７から後退させる。次いで、副容器７の胴部１７をスクイズすることで、あるいは内容液の自重により副容器７内の内容液が注出孔４５ｂ、連通孔３５およびパイプ３７を通って主容器３内の計量部５３に流入する。所定量の内容液を計量部５３に流入させることができた場合には、副容器７をアダプタ２７に対して右方向（時計回り）に回動させ、副容器７をアダプタ２７に対して前進させ、栓体４１の凸部４５ａをアダプタ２７の連通孔３５に嵌入する。一方、所定以上の量の内溶液が計量部５３に流入してしまった場合には、副容器７の胴部１７の復元性を利用して出し過ぎた内容液を副容器７内に吸い戻すようにしてもよい。そして、内容液の計量が済んだ後には、主容器３の口部から吐出器５を取り外し、該口部の開口から所定の希釈倍率に応じた希釈液（例えば水）を充填する。
【００２５】
したがって、この液体吐出容器１によれば、吐出器５を取り外すことなく、副容器７内の内溶液を主容器３内に注入することができ、しかも副容器７と主容器３とがアダプタ２７を介して連結された状態にて副容器７内の内容液の注入を行うことができるため、こぼすことなくその注入が可能である。さらに、副容器７をアダプタ２７に対してねじ込むことで、連通孔３５を閉塞することができるので、副容器７内に複数回分の内容液を予め収容させておけば、副容器７内の内容液を複数回にわたって混合、希釈して使用することが可能となる。あるいは、予め副容器内に多めの内容液を収容しておき、使用者の好みの量（好みの希釈倍率）に応じて適宜に副容器内の内容液を主容器内に注入することもできる。
【００２６】
また、この実施形態の液体吐出容器１によれば、主容器３を形作る壁によって、該主容器３の収容空間Ｓ１内に計量部５３を形成したので、副容器７の内容液の適量注入が可能であるとともに、計量部５３の形成にあたって部品点数が増大することもない。
【００２７】
さらに、この実施形態の液体吐出容器１によれば、一端がアダプタ２７の連通孔３５につながり、他端が計量部５３まで延びるパイプ３７を設けたことから、副容器７内の内容液の注入の際に液が垂壁５５を超えて飛び散るのを防止することができる。さらに、副容器７をスクイズ可能な容器として構成したので、副容器７内の内容液を出し過ぎた場合には、胴部１７の復元性を利用して液を副容器７内に戻すことができる。
【００２８】
さらに、この実施形態によれば、主容器３を、透明または半透明の樹脂にて形成したことから、計量部５３内に流入した内容液の量を容器外から確実に視認することができる。なお、主容器３は、目盛りを形成した部分のみ透明または半透明にしてもよく、この場合、例えば、透明または半透明な部分を主容器３の軸方向に沿って形成することができる。また、副容器７を透明または半透明に形成するかあるいは透明または半透明な部分を設けるとともに、目盛り等を設けてもよく、これによれば、副容器７側にて注出した内容液の量を把握することができる。
【００２９】
しかも、この実施形態では、副容器７の口部２３の外周面にねじ２３ａを形成するとともに、アダプタ２７に該ねじ２３ａに係合して、副容器７の、アダプタ２７に対する一方側への回動により該副容器７を前進させる一方、副容器７の、アダプタ２７に対する他方側への回動により該副容器７を後退させるねじ３１ａを形成したことから、副容器７をアダプタ２７に対して安定して回動および進退させることができ、栓体４１による連通孔３５の密閉および開放をより確実に行うことができる。
【００３０】
次いで、参考例としての液体吐出容器１’について図３〜６に基づき説明する。なお、図３、４中、図１、２の実施形態の液体吐出容器１を構成する部材と同様の部材には、符号に「’」を付し、図５、６中、図１、２の実施形態の液体吐出容器１を構成する部材と同様と同様の部材には、符号に「”」を付し、その詳細な説明は省略する。
【００３１】
図３、４に示す参考例では、筒状部１３’は、主容器３’の底部１１’に設けられ、副容器７’は主容器３’の下方にアダプタ２７’を介して連結されている。また、この参考例では、副容器７’を主容器３’の下方に配置したことと関連して、計量部５３’は、容器を逆さにした状態にて筒状部１３’の真下に配置され、主容器３’の胴部９’を横断する断面Ｕ字形状の壁５５’によってその開口が筒状部１３’に向くカップ状に区画、形成されている。この断面Ｕ字形状の壁５５’は、図示のようにその横切り方向の途中に閉塞部分（補強部分）を有するものであるが、図示は省略するが横切り方向に完全に貫通するものでもよく、あるいは横切り方向の一端から他端まで中実に延びる壁としてもよい。
【００３２】
この参考例の液体吐出容器１’によれば、副容器７’を主容器３’の下方に配置したことから、図１、２の実施形態のものに比べて副容器７’の容量を増大させることができる。また、副容器７’の高さを増やせば容易に容量を増大させることができるので、見た目にもすっきりしており使い勝手にも優れたものとなる。
【００３３】
図５、６に示す他の参考例では、副容器７”を主容器３”の下方に連結した点では、図３、４の参考例と共通するものの、先ず、筒状部１３”は、主容器３”の底部１１”の中央に対して偏心して配置され、これに対応して、副容器７”の口部２３”も偏心して配置されている。この容器１”では、副容器７”をアダプタ２７”に対して完全にねじ込んだ状態にて、副容器７”の胴部９”と主容器３”の胴部１７”とが高さ方向でみて概ね一致（面一）するように構成されており、したがって、副容器７”の胴部１７”が主容器３”の胴部９”と一致しているか否かで連通孔３５”が開閉状態を容易に把握することができる。例えば、図６では、副容器７”の胴部１７”が主容器３”の胴部９”から側方に外れているので、連通孔３５”が開放状態にあることを知ることができる。
【００３４】
また、この参考例では、副容器７”の肩部２１”および底部１９”はスクイズ可能に構成されており、これにより、副容器７”を回動させて連通孔３５”を開放した状態（図６の状態）にて、副容器７”の肩部２１”および底部１９”をスクイズして内溶液を容易に吐出させることができる。なお、図中、符号５９は、副容器７の内溶液の、一回分の注出量（例えば２０ｍｌ）を表示した計量部５３”の目盛りである。また、計量部５３”を形成する壁５５”は、図３、４に示した壁５５’と同様の構成である。
【００３５】
以上、図示例に基づきこの発明を説明したが、この発明は、特許請求の範囲の記載範囲内で適宜に変更可能であり、例えば、上記実施形態では、アダプタと筒状部との連結をねじを介して行っているが、アンダーカットのような係合手段を用いて相互に連結してもよい。また、上記実施形態では、副容器とアダプタとをねじを介して連結して、副容器の左右への回動を副容器の進退移動に変換するようにしているが、これに限らず、副容器の口部外周面に突起を設けるとともに、アダプタの第２筒部の内周面にこの突起を導く螺旋状の溝を設けてもよい。また、上記実施形態では、吐出器をポンプ式ものとして説明したが、吐出器はこれに限定されず、スプレー式のものとしてもよい。
【産業上の利用可能性】
【００３６】
かくして、この発明により、吐出器を取り外すことなく、副容器内の内溶液を主容器内に注入することができ、しかもこぼすことなくその注入が可能な液体吐出容器を提案することが可能となる。
【符号の説明】
【００３７】
１、１’、１”  液体吐出容器
３、３’、３”  主容器
５  吐出器
７、７’、７”  副容器
２７、２７’、２７”  アダプタ
３５、３５’、３５”  連通孔
４１、４１’、４１”  栓体
４５ａ、４５ａ’、４５ａ”  凸部（シール部）
４５ｂ、４５ｂ’、４５ｂ”  注出孔
５３、５３’、５３”  計量部
【図１】
0005684549.tif 000002
【図２】
0005684549.tif 000003
【図３】
0005684549.tif 000004
【図４】
0005684549.tif 000005
【図５】
0005684549.tif 000006
【図６】
0005684549.tif 000007